(57)【特許請求の範囲】
【請求項１】
バンド（２０）と、前記バンドを取り囲み前記バンドの第１の端部（２２）に提供されたバックル（２１）とを有する薄型クランプにおいて、前記バンドの第２端部（２３）が、締め付けられる物体を取り囲み、前記第１の端部（２２）の半径方向外側で前記バックル（２１）に通され、変形によって前記バックル（２１）で留められるように適応された薄型クランプであって、
前記バックル（２１）の側面が、窓（３６）内で前記バンド（２０）の側縁（３７）を変形させることによって留めることを可能にする窓（３６）を有し、
前記バックル（２１）の中で、前記第１のバンド端部（２２）が、前記第２のバンド端部（２３）との間に隙間を維持され、
前記留めが、前記第２のバンド端部（２３）の前記側縁（３７）を変形させるペンチ型工具によって行われうる、
薄型クランプ。
【請求項２】
前記窓（３６）は、前記バンド（２０）を変形させる切断縁を形成するように構成された、請求項１に記載の薄型クランプ。
【請求項３】
前記バックル（２１）の２つの側面が、互いに反対側に配置されて前記バンド（２０）の両方の側縁（３７）を同時に変形させることによって留めることを可能にする窓（３６）を有する、請求項１又は２に記載の薄型クランプ。
【請求項４】
前記第１のバンド端部（２２）の前記側縁（５０）が、前記バックル（２１）に設けられた前記窓（３６）の前記領域内で、前記第２の端部（２３）に向いた側で面取り（５２）又は切欠きされた、請求項１に記載の薄型クランプ。
【請求項５】
前記第１のバンド端部（２２）が、前記第２のバンド端部から隙間を維持するために付け面（２７）を備える、請求項１に記載の薄型クランプ。
【請求項６】
前記バックル（２１）が、互いの方に延在しかつ切欠（４５）と突起（４６）を相互に係合させることによって相互接続された端部を有する湾曲材料ストリップで作成された、請求項１〜５のいずれかに記載の薄型クランプ。
【請求項７】
前記バックル（２１）が、各窓（３６）に、前記第１のバンド端部（２２）をそれぞれの横切欠（５６）で保持するための空洞拡張部（５５）を有する、請求項１〜６のいずれかに記載の薄型クランプ。
【請求項８】
前記第１のバンド端部が、前記バックル（２１）に接触する少なくとも１つの横断縁（２６；２８；３２）を有する、請求項１〜７に記載の薄型クランプ。
【請求項９】
前記縁（２８）が、前記バックル（２１）の前記幅に対応する前記バンドの前記長手方向のサイズを有する第１の凹部（２９）に形成された、請求項８に記載の薄型クランプ。
【請求項１０】
前記縁（２６）が、前記第１のバンド端部（２２）の折り畳み部分（２５）によって形成された、請求項８に記載の薄型クランプ。
【請求項１１】
前記縁（３２）が、前記第１のバンド端部（２２）に打ち抜かれた突起（３０）によって形成された、請求項８に記載の薄型クランプ。
【請求項１２】
前記付け面（２７）が、前記第１のバンド端部（２２）の前記方向の拡張部（５７）を有する、請求項５に記載の薄型クランプ。
【請求項１３】
前記第１のバンド端部（２２）の方向に配置された前記付け面（２７）の一部分（５８）が隆起された、請求項５に記載の薄型クランプ。
【請求項１４】
前記バンド張力を示すためのインジケータ（５９）を有する、請求項１〜１３のいずれか一項に記載の薄型クランプ。
【請求項１５】
前記第１のバンド端部（２２）が、テーパ付け（５４）された、請求項１〜１４のいずれか一項に記載の薄型クランプ。
【請求項１６】
前記第１のバンド端部（２２）が、傾斜付け（５３）された、請求項１〜１５のいずれか一項に記載の薄型クランプ。
【請求項１７】
前記バックル（２１）が、締め付けられる前記物体に向いた側に拡張部（４９）を有する、請求項１〜１６のいずれか一項に記載の薄型クランプ。
【請求項１８】
前記バックル（２１）が、前記バンド（２０）の前記側縁（３７）に接触する内側突起（４８）を有する、請求項１〜１７のいずれか一項に記載の薄型クランプ。
【請求項１９】
前記バックル（２１）が、前記第２のバンド端部（２３）の過大な長さを切断する切断縁を有するように構成された、請求項１〜１８のいずれか一項に記載の薄型クランプ。
【請求項２０】
前記バックル（２１）が、前記第２のバンド端部（２３）の切断縁（４１）を覆う切欠部（４７）を有する、請求項１〜１９のいずれか一項に記載の薄型クランプ。
【発明の詳細な説明】
【技術分野】
【０００１】
本発明はバンドクランプに関する。
【背景技術】
【０００２】
ガスジェネレータ上のエアバッグ材料や取付板上のエアバッグなどの物体を締め付けるために、バンドとそのバンドの一端部上に配置されたバックルとから成る薄型クランプが使用される。取り付けの際、他端部は、締め付けられる物体に巻き付けられてバックルに通される。締め付けるために、他方のバンド端が引っ張られ、緊張状態でバンドとバックルが留められ、外側バンド端の過大な長さが切断される。
【０００３】
このタイプの薄型クランプでは、特許文献１から分かるように、バンドの両端部を取り囲むバックルは、締め付けられる物体から遠い外側に穿孔を受けるための穴を有し、この穿孔によってバンド端部が変形し、それにより留められる。
【０００４】
類似の薄型クランプは、特許文献２、特許文献３及び特許文献４から分かり、これらの特許では、バックルは、最初に一方のバンド端部に固定される。
【０００５】
これらの薄型クランプは全て、バンド端をバックル内に留めるためにパンチに加えられる力が、締め付けられる物体に作用し、その物体を破損させることがあるという問題を有する。締め付けられる物体は、迎撃要素として必要である。
【０００６】
特許文献５は、バックルの外側に曲げられた外側バンド端の横方向部分によってバックルがバンドに留められた別の薄型クランプを開示する。これにより、バックルの外側に外方突出縁ができる。
【先行技術文献】
【特許文献】
【０００７】
【特許文献１】米国特許第８，４２４，１６６（Ｂ２）号
【特許文献２】米国特許第３，７５４，３０３（Ａ）号
【特許文献３】米国特許第７，３７３，６９５（Ｂ２）号
【特許文献４】米国特許第７，６５０，６８０（Ｂ２）号
【特許文献５】米国特許第５，４８３，９９８（Ａ）号
【発明の概要】
【発明が解決しようとする課題】
【０００８】
本発明は、前述の課題を少なくとも部分的に回避する目的に基づく。より具体的な目的は、最初に述べたタイプの薄型クランプを提供することと理解され、この薄型クランプは、確実な固定のために必要であるが締め付けられる物体に作用しない力で取り付けられうる。
【課題を解決するための手段】
【０００９】
この目的は、請求項１に記載された本発明によって達成される。請求項１により構成された薄型クランプは、側面窓（好ましくは、両側の２つの窓）を有し、したがって、バンドの側縁を変形させることによってバンドがバックルに留められる。この変形によって、締め付けられる物体は、確実に留めるために比較的高い変形力が薄型クランプに加えられた場合でも、影響も受けず必要ともされない。窓の領域内で留められるので、バンドは、バックルのすぐ後ろで終端してもよい。
【００１０】
本発明による薄型クランプの更に他の利点は、バックル自体を過度のバンド長を切断するための切断縁として使用できることにある。したがって、切断がバックルで行われ、そのため、バックルとその窓の公差が吸収され、過度のバンド長さは、バックルと面一で切断される。したがって、尖った外側縁が回避される。
【００１１】
更に、留め部は、バックルによって外部の影響から守られ、目に見えたままである。バンドの側縁の変形部分の幅が、窓の幅に対応するので、実際に遊びなしに留められる。
【００１２】
留めは、外側バンド端部の側縁を変形させるペンチ状工具によって達成されることが好ましい。
【００１３】
内側バンド端部の側縁は、工具との干渉を回避するために、バックルに設けられた窓の領域内で外側バンド端部に向いた側面が面取りされるか切り取られてもよい。
【００１４】
バックルは、材料ストリップで作成されることが好ましく、その端部が、互いの方に延在し、突起と凹部を互いに係合させることによって相互接続される。
【００１５】
バックルの特に安定した固定は、バックルに接触する少なくとも１つの横方向延在縁を有する内側バンド端部によって達成されうる。縁は、凹部に形成されてもよい。あるいは、縁は、折り畳まれた内側バンド端部の一部によって形成されてもよく、内側バンド端部に形成された突出部によって形成されてもよい。
【００１６】
本発明の更に他の実施形態では、内側バンド端部と締め付けられる物体の間の段差を回避し、摩擦を最小にするためにテーパ又は傾斜が付けられてもよい。
【００１７】
バックルは、締め付けられる物体に対する封止を改善するために、締め付けられる物体に向いた側に拡張部を有してもよい。
【００１８】
バックルの固定を改善するため、バックルは、バンドの側縁と係合する内側突起を有することができる。
【００１９】
更に他の実施形態では、バックルは、過大な長さが切断されたときに外側バンド端部に生じる切断縁を覆う拡張部を有してもよい。
【００２０】
本発明の実施形態は、図面に関して後述される。
【図面の簡単な説明】
【００２１】
【図１】閉じられまだ締め付けられていない状態の薄型クランプの側面図であり、締め付けられる物体が示されていない。
【図２ａ】薄型クランプが閉じられたときの内側部分のバンド端部の代替実施形態の斜視図である。
【図２ｂ】薄型クランプが閉じられたときの内側部分のバンド端部の代替実施形態の斜視図である。
【図２ｃ】薄型クランプが閉じられたときの内側部分のバンド端部の代替実施形態の斜視図である。
【図２ｄ】薄型クランプが閉じられたときの内側部分のバンド端部の代替実施形態の斜視図である。
【図３】図１の薄型クランプに使用されるバックルの斜視図である。
【図４】外側バンド端部に留められた図３のバックルを示す図である。
【図５ａ】バックル内の外側バンド端部を留める様々な方法を示す図である。
【図５ｂ】バックル内の外側バンド端部を留める様々な方法を示す図である。
【図５ｃ】バックル内の外側バンド端部を留める様々な方法を示す図である。
【図６】締め付けられる物体のない図３のバックルが完全に取り付けられた状態の薄型クランプを示す図である。
【図７】バックルの改良版の図である。
【図８】バックルの改良版の図である。
【図９】バックルの改良版の図である。
【図１０】バックルの改良版の図である。
【図１１】バックルの改良版の図である。
【図１２】内側バンド端部の改良版の図である。
【図１３】内側バンド端部の改良版の図である。
【図１４】インジケータを有するバンドクランプを示す図である。
【図１５】バンドが複数回バックルに通された薄型クランプを示す図である。
【発明を実施するための形態】
【００２２】
図１に示された薄型クランプは、バンド２０とバックル２１とを有する。両方の部分は、好ましくは金属で作成される。図は、薄型クランプが内側バンド端部２２に固定された状態を示し、バンド２０が、締め付けられる物体（図示せず）を取り囲み、外側バンド端部２３が、バックル２１に通される。最終的に取り付ける際、バンド２０は、外側バンド端部２３に加えられた張力によって、締め付けられる物体のまわりで引っ張られ、外側バンド端部２３は、バックル２１内で変形することによって緊張状態で留められ、バンドの過大な長さは、バックル２１のすぐ後ろで切断される。
【００２３】
バンド２０をバックルに通す際の操作を改善し、怪我の危険を減らすために、外側バンド端部２３の端２４は、丸められるか面取りされてもよい（図１４を参照）。
【００２４】
図２ａ〜図２ｄは、バックル２１内で固定するのに適した内部バンド端部２２の構成を示す。図２ａによれば、内側バンド端部２２の端部２５が、取り付け状態に対して内側に曲げられ、バックルの対応端面に当たるように、端部から見て半径方向内向きの縁２６を構成する。縁２６は、外側バンド端部２３に張力が加えられたときにバックル２１をバンドに固定する働きをする。
【００２５】
取り付けられた状態でバックル２１内になる領域に、外側バンド端部２３からの隙間を作るために、例えばＨ形構成の付け面２７が、内側バンド端部２２に打ち抜かれる。
【００２６】
図２ｂの実施形態では、トラフ形凹部２９に、バンドの長手方向にバックル２１の幅に対応するサイズを有しバックル２１を部分的に収容する縁２８が形成される。
【００２７】
図２ｃと図２ｄの代替実施形態では、内側バンド端部２２上に内側突起３０及び３１がエンボス加工され、これらの突起は、バックル２１の幅に応じて互いから離間される。突起３０及び３１は、この場合も、バンドの端部から見て半径方向内向きの縁３２を規定する。図２ｃの実施形態は、図１の斜視図と仮定される。
【００２８】
図３と図４に示されたように、バックルは、材料バンドから、両方のバンド端部２２及び２３を取り囲むループに製造される。バックル２１の側面３５の互いに反対位置に窓３６が形成され、その窓を介して、ペンチ型工具（図示せず）が、締め付けた際に外側バンド端部２３の側縁３７と係合して側縁を変形させ、それにより、バックル２１をバンド２０に留めることができる。
【００２９】
図４と図５によれば、窓３６の領域内にある外側バンド端部２３の側縁３７の一部３８を切断し外側に曲げることによって変形が行われる。あるいは、この変形は、図５ｂと図５ｃに示されたように突出部３９及び４０で存在してもよい。図４は、図５ａに示されたタイプの変形を示す。このように留められた後で、図６に示されたように、バンド２０の過大な長さが、バックル２１のすぐ後ろの位置４１で切断される。
【００３０】
図７と図８によれば、バックル２１は、ループに曲げられた細長い材料から形成され、その反対端は、切欠４５と突起４６を互いに係合させることによってジグゾーパズル式に相互接続される。代替実施形態（図示せず）では、バックルは、供給材料で作成されてもよい。
【００３１】
図８に示された実施形態では、ループ形材料ストリップの一部分４７が、切れ目を入れられ、バンド２０を締めた後で互いの方に曲げられて、バックル２１に留まり、外側バンド端部２３において切断縁４１を覆う。
【００３２】
図９によれば、バックル２１の横内側面に、取り付ける際に内側突起４８が形成され、内側突起４８は、内側バンド端部２２をバックル２１内のその高さに位置決めする。また、内側突起４８は、後で挿入された外側バンド端部２３に対する間隔を作り、それにより、ロックの際の外側バンド端部２３の変形が容易になる。
【００３３】
図１０の実施形態では、バックル２１は、締め付けられる物の側に拡張部４９を備え、これらの拡張部は、内側バンド端部２２が、バックル２１を固定するための図２ｃに示されたような突起３０を有する場合に好都合である。完全に取り付けられた状態で、拡張部４９は、突起３０の隙間に延在して、締め付けられる物体の連続支持を構成する。図２ｂに示された構成では、凹部３３内に延在する拡張部４９によって同じ効果が達成される。
【００３４】
バックルは、外側バンド端部２３の方向に延在する拡張部４９を１つだけ備えてもよい。バックルの他端が、取り付けられた状態で加わる力によって面一で押されるので、この端でも段差のない変化が保証される。
【００３５】
図１１に示された更に他の実施形態では、バックルは、いずれかの窓３６内に、内側バンド端部２２をそれぞれの横切欠５６（図１３を参照）に留めるための空洞拡張部５５を有する。
【００３６】
図１２は、図２ｃと類似しているが図２ｃの反対側から見た、取り付けられた状態で外側にある内側バンド端部２２を示す。図示されたように、内側バンド端部２２の側縁５０は、バックル２１の窓３６内になる部分５１に半径方向外方の面取り部５２を備える。図２ａ、図２ｃ及び図２ｄの付け面２７と全く同じように、面取り部は、変形工具が外側バンド端部２３とだけ確実に係合するように、外側バンド端部２３からの隙間を作る。
【００３７】
図１２に更に示されたように、内側端部２２は、締め付ける際に端部２２と２３の間の摩擦を減らしまた内側バンド端部２２での力変化を等しくするために、５３に傾斜のついた端を有する。図２に示された内側バンド端２２の丸み５４は、同じ目的に役立つ。
【００３８】
図１３に示されたように、付け面２７は、バンドによるバックル２１の支持を改善するために内側バンド端部２２の方向に延在する拡張部５７を有してもよい。
【００３９】
図１３に更に示されたように、内側バンド端部２２の方向にある付け面２７の横断隆起部５８は、最適に留めるために隆起されてもよい。
【００４０】
クランプは、取り付ける際に特定の最小限の力が加えられたかどうかを判定するために、目に見えるインジケータ５９を備えてもよい。図１４の実施形態では、このインジケータは、所定のバンド張力によって変形され、例えばバンドの方に引っ張られ、バンドと部分的又は完全に接触する部材からなる。
【００４１】
図１５に示されたように、バンド２０は、より高い強度を得るために２回又は更に数回バックル２１に通されてもよい。
【符号の説明】
【００４２】
２０  バンド
２１  バックル
２２  内側バンド端部
２３  外側バンド端部
２５  端部
２６  縁
２７  付け面
２８  縁
２９  凹部
３０  突起
３１  突起
３２  縁
３３  凹部
３５  側面
３６  窓
３７  側縁
３８  側縁３７の一部
３９  突出部
４０  突出部
４１  切断位置
４５  切欠
４６  突起
４７  切欠部
４８  内側突起
４９  拡張部
５０  側縁
５１  側縁５０の一部
５２  面取り部
５３  傾斜
５４  丸み
５５  空洞拡張部
５６  切欠
５７  拡張部
５８  横断隆起部
５９  インジケータ
【図１】
0006301468.tif 000002
【図２ａ】
0006301468.tif 000003
【図２ｂ】
0006301468.tif 000004
【図２ｃ】
0006301468.tif 000005
【図２ｄ】
0006301468.tif 000006
【図３】
0006301468.tif 000007
【図４】
0006301468.tif 000008
【図５ａ】
0006301468.tif 000009
【図５ｂ】
0006301468.tif 000010
【図５ｃ】
0006301468.tif 000011
【図６】
0006301468.tif 000012
【図７】
0006301468.tif 000013
【図８】
0006301468.tif 000014
【図９】
0006301468.tif 000015
【図１０】
0006301468.tif 000016
【図１１】
0006301468.tif 000017
【図１２】
0006301468.tif 000018
【図１３】
0006301468.tif 000019
【図１４】
0006301468.tif 000020
【図１５】
0006301468.tif 000021